(57)【要約】【課題】建設地域、季節、時間、開口部方位、開口部ガラス板構成の違いにより、室内の熱的快適性がどのように異なるかを既存のＰＭＶ指標を用い、簡易に評価できるツールを開発し、この結果を統計処理することにより、窓ガラス近傍のＰＭＶ値を簡単に取得することができるガラス板の種類別の熱的快適性評価方法及び該評価方法を用いたガラス板選択方法を提供することを目的とする。【解決手段】ガラス面を多数に分割して温度分布を作成したり、床面及び天井面を多数に分割して温度分布を作成したり、室内全体の空間を多数の小空間に分割して小空間毎のＰＭＶ値を算出したりすることなく、ガラス温度、室温、床温度、天井温度を一つの代表値で算出することにより、窓ガラス近傍に特化したＰＭＶ値を簡易的に算出する。また、ガラス構成の違いにより、その窓に応じた熱的快適性が全体として相対的にどの程度異なるかを比較することにより、顧客のニーズに応じて最適なガラス板を選択し、提案できる。【選択図】  図１
2008107910.tif 000002
【特許請求の範囲】
【請求項１】
建物の検討空間サイズを設定するとともに壁熱性能を設定する第１のステップと、
地域、ガラス構成、ガラス設置方位、及び検討日時を選択する第２のステップと、
ガラス熱的性能を算出する第３のステップと、
前記第２のステップに基づいて気象データを選択する第４のステップと、
空調、隣室温度、人体快適性主要パラメータを設定する第５のステップと、
窓面受熱日射量を算出する第６のステップと、
前記第１のステップ、第３のステップ、第５のステップ、及び第６のステップに基づいてガラス表面温度を算出するとともに室温を算出する第７のステップと、
前記第１のステップ、第５のステップ、及び第７のステップに基づいて床、天井表面温度を算出するとともに平均放射温度を算出する第８のステップと、 
前記第５のステップ、第７のステップ、及び第８のステップに基づいて人体快適性数値を算出する第９のステップと、
全ての選択条件について人体快適性数値を算出したかどうかを判定し、算出していなければ前記第２のステップに戻り、前記第２のステップ、第４のステップ、及び第５のステップの選択条件を順次変更する第１０のステップと、
全ての選択条件について人体快適性数値を算出した後に、該人体快適性数値に基づいて統計処理を行う第１１のステップと、
からなることを特徴とするガラス板の熱的快適性評価方法。
【請求項２】
前記第７のステップは、ガラス表面全体における温度分布を算出することなく一つの代表するガラス温度を算出するとともに、部屋全体における温度分布を算出することなく一つの代表する室温を算出し、
前記第８のステップは、床、天井全体における温度分布を算出することなく一つの代表する床温度、天井温度を算出することを特徴とする請求項１に記載のガラス板の熱的快適性評価方法。
【請求項３】
請求項１又は請求項２に記載のガラス板の熱的快適性評価方法を用い、ガラス構成の違いにより、その窓に応じた人体快適性数値を相対的に比較して、その窓に応じたガラス板を選択することを特徴とするガラス板の熱的快適性評価方法を用いたガラス板選択方法。  
【発明の詳細な説明】
【技術分野】
【０００１】
本発明はガラス板の熱的快適性評価方法及び該評価方法を用いたガラス板選択方法に係り、特に建築物の窓に使用されるガラス板の熱的快適性評価方法及び該評価方法を用いたガラス板選択方法に関する。
【背景技術】
【０００２】
建物は、建設地域、季節、時間、建物建設方位の違いにより、外気温、受熱日射量が異なり、年間を通じてさまざまな熱的な影響を受けている。これに対し、視認性を確保しつつ、その影響度合いを緩和させているのが開口部のガラス板であり、特にその建物が使用しているガラスの熱的性能値によって、室内の熱的快適性は大きく変わってくる。
【０００３】
特許文献１では、透明板の熱快適性評価方法として、体温調節モデルに６５ＭＮモデルを使ったＳＥＴ＊（標準新有効温度）に基づいてＴＳＶ（Thermal Sensation Vote）を算出している。特許文献１によれば、居室内および人体の表面形状を複数の表面形状に分割し、内壁と人体との間の空間形状を複数の立体要素に分割し、全ての表面要素について形態係数を算出し、全ての表面要素に対して熱的条件を割り当てていた。
【特許文献１】特開２００２−３１５７３７号公報
【発明の開示】
【発明が解決しようとする課題】
【０００４】
しかしながら、特許文献１の如く、従来の熱快適性評価方法は、室内全体の空間を多数の小空間に分割し、精密なアルゴリズムで空間温度および表面温度を算出する手法であるため、算出が非常に難しく計算時間を要し、複数の気象条件について解析を行い年間を通じて熱快適性を評価しようとすると、その計算時間が膨大になり多大な労力を費やすこととなり、このような解析を行なうのは実用上困難であった。
【０００５】
建物は、建設地域、季節、時間、建物建設方位の違いにより、外気温、受熱日射量が異なり、年間を通じてさまざまな熱的な影響を受けるが、特に影響を受け易い部分は開口部のガラス板であり、視認性は確保されるが、熱的な弱点とされている。したがって、その建物が使用しているガラス板の熱的性能値によって、室内の熱的快適性は大きく変わってくることになる。例えば、２枚のガラス板のうち、室外側のガラス板にＬｏｗ−Ｅコーティングを施した複層ガラス（旭硝子（株）製品名「サンバランス」）は、夏に外部からの日射熱を室内に入れにくく冷房効果を高め、冬には室内の暖房熱を反射するので熱を外部に逃がさず暖房効果を高めることが知られている。一方、２枚のガラス板のうち、室内側のガラス板にＬｏｗ−Ｅコーティングを施した複層ガラス（旭硝子（株）製品名「サンレーヌ」）は、暖房エネルギーを外部に逃さず、同時に外からの日射熱を室内に取り入れるので、断熱性に優れることが知られている。このように、建物に使用されるガラス板の種類により、遮熱性や断熱性といった個別の特性がどのように異なるかについて対比がなされている。しかしながら、建物に使用されるガラス板の種類によって、熱的快適性を全体としてどのように評価するかを示す指標というものは現存していない。
【０００６】
本発明は、このような事情に鑑みてなされたもので、建設地域、季節、時間、開口部方位、開口部ガラス板構成の違いにより、室内の熱的快適性がどのように異なるかを既存のＰＭＶ（Predicted Mean Vote：予測平均温熱指数）指標を用い、簡易に評価できるツールを開発し、この結果を統計処理することにより、窓ガラス近傍のＰＭＶ値を簡単に取得することができるガラス板の種類別の熱的快適性評価方法及び該評価方法を用いたガラス板選択方法を提供することを目的とする。
【課題を解決するための手段】
【０００７】
ガラスメーカにとっては、室内全体の空間を多数の小空間に分割して、室内全体のＰＭＶ値をきめ細かく解析するよりもガラスの種類に応じた窓ガラス近傍のＰＭＶ値を取得することが建設地域や開口部方位等に適切な窓用ガラスを推奨する上で重要である。この観点から、窓ガラス近傍のＰＭＶ値をガラスの種類に応じて取得するために、ガラス自体が有する性能値はその計算毎に設定するが、その他の設定値に対してはその条件毎に算出するのではなく、経験的に得られた経験値を代用したり、一つの代表値を用いたりすることで、窓ガラス近傍のＰＭＶ値の算出方法を簡易化した。また、建設地域、季節、時間、開口部方位、開口部ガラス構成の違いにより、室内の熱的快適性がどのように異なるかを簡易に検討できるツールを開発し、この結果を簡単に統計処理することで、ガラスの熱的快適性指標を作成した。 
【０００８】
すなわち、請求項１に記載の発明は、前記目的を達成するために、建物の検討空間サイズを設定するとともに壁熱性能を設定する第１のステップと、地域、ガラス構成、ガラス設置方位、及び検討日時を選択する第２のステップと、ガラス熱的性能を算出する第３のステップと、前記第２のステップに基づいて気象データを選択する第４のステップと、空調、隣室温度、人体快適性主要パラメータを設定する第５のステップと、窓面受熱日射量を算出する第６のステップと、前記第１のステップ、第３のステップ、第５のステップ、及び第６のステップに基づいてガラス表面温度を算出するとともに室温を算出する第７のステップと、前記第１のステップ、第５のステップ、及び第７のステップに基づいて床、天井表面温度を算出するとともに平均放射温度を算出する第８のステップと、前記第５のステップ、第７のステップ、及び第８のステップに基づいて人体快適性数値を算出する第９のステップと、全ての選択条件について人体快適性数値を算出したかどうかを判定し、算出していなければ前記第２のステップに戻り、前記第２のステップ、第４のステップ、及び第５のステップの選択条件を順次変更する第１０のステップと、全ての選択条件について人体快適性数値を算出した後に、該人体快適性数値に基づいて統計処理を行う第１１のステップと、からなることを特徴としている。
【０００９】
また、請求項２に記載の発明によれば、請求項１において、前記第７のステップは、ガラス表面全体における温度分布を算出することなく一つの代表するガラス温度を算出するとともに、部屋全体における温度分布を算出することなく一つの代表する室温を算出し、前記第８のステップは、床、天井全体における温度分布を算出することなく一つの代表する床温度、天井温度を算出することを特徴としている。
【００１０】
請求項２に記載の発明によれば、ガラス温度、室温、床温度、天井温度を一つの代表値で算出することにより、窓ガラス近傍に特化した人体快適性数値（ＰＭＶ値）を簡易的に算出することができる。
【００１１】
請求項３に記載の発明は、前記目的を達成するために、請求項１又は請求項２に記載のガラス板の熱的快適性評価方法を用い、ガラス構成の違いにより、その窓に応じた人体快適性数値を相対的に比較して、その窓に応じたガラス板を選択することを特徴としている。
【００１２】
請求項３に記載の発明によれば、ガラス構成の違いにより、その窓に応じた熱的快適性（人体快適性数値）が全体として相対的にどの程度異なるかを容易に比較できるので、顧客のニーズに応じて最適なガラス板を選択し、提案できる。
【発明の効果】
【００１３】
本発明に係るガラス板の熱的快適性評価方法によれば、窓ガラス近傍に特化した簡易的な算出手法により窓ガラス近傍のＰＭＶ値を算出したので、ガラスの種類に応じた窓ガラス近傍のＰＭＶ値を簡単に取得することができる。
【００１４】
本発明に係るガラス板の熱的快適性評価方法を用いたガラス板選択方法によれば、ガラス構成の違いにより、その窓に応じた人体快適性数値が全体として相対的にどの程度異なるかを容易に比較できるので、顧客のニーズに応じて最適なガラス板を選択し、提案できる。
【発明を実施するための最良の形態】
【００１５】
以下、添付図面に基づいて本発明の実施の形態を詳説する。
【００１６】
図１は、実施の形態のガラス板の熱的快適性評価方法の一例を示したフローチャートであり、ガラスの熱的快適性指標の算出手順が示されている。また、図２は、ガラスの熱的快適性指標を算出するための装置構成が示されている。
【００１７】
図２によれば、熱的快適性指標の算出手順が格納された計算ソフト１０がコンピュータのＣＰＵ１２に搭載され、ＣＰＵ１２は、入力手段であるキーボード１４からの入力情報に基づき、データベースＡ１６、データベースＢ１８、データベースＣ２０に記録されている所定の情報を読み出し、その情報を下記の如く演算処理することにより窓ガラスに特化したＰＭＶ値を算出し、その結果をディスプレイ２２に表示する。なお、データベースＡ１６には、地域、ガラス構成（品種）が記録され、データベースＢ１８には、アメダス気象データが記録され、データベースＣ２０には、空調、隣室温度、人体快適性主要パラメータが記録されている。
【００１８】
まず、図１のフローチャートで示す熱的快適性評価方法の特徴は、特許文献１の透明板の温熱快適性能評価方法及びプログラムにおいては、精密なアルゴリズムで求められる空間温度、及び表面温度が計算時間を要し、また条件を変えて値を求めるのに手間も要することに対し、実施の形態の熱的快適性評価方法は、窓ガラス近傍に特化したＰＭＶ値について、瞬時に計算が可能であり、時刻変動による日射量、外気温の影響を都度条件として、何ケースも検討可能であるところに特徴を有する。また、熱的快適性指標の大元はＰＭＶという公知の一般的な指標を使用しているが、最終的なアウトプットのガラスの熱的快適性指標（統計処理）については、新規の指標となる。 
【００１９】
次に、図１に示したフローチャートについて説明する。
【００２０】
〔ステップ（Ｓ）１：検討空間サイズ設定、壁熱性能設定〕
検討空間は、建物内部の大型開口部を有する1室（たとえばリビング）と見立てており、建築上よくある矩形（直方体）型の形状を想定した。
【００２１】
図３の表に示す幅、奥行き、高さの検討空間サイズ、開口部の幅、高さ寸法の開口部サイズをキーボード１４から計算ソフト１０に入力する。また、壁の熱性能であるが、計算ソフト１０は建築用開口部の熱性能の違いによる熱的快適性に焦点を当てているので、窓以外の壁の性能値は建築上一般的に使用される壁の熱貫流率として、図３の表の如くデフォルト値を設定した（例えば天井、床＝０．５Ｗ／ｍ２Ｋ、内壁１Ｗ／ｍ２Ｋ）。また、日射吸収率は図３の表の如く床面のみ設定、放射率はガラスのみ設定とした。なお、設定理由についてはＳ７で記述する。
【００２２】
〔Ｓ２：地域選択、ガラス構成選択、ガラス設置方位選択、検討日時選択〕
地域選択は、各都道府県名を選択することで各県庁所在地の緯度経度を引数として割り当てることとした。この情報はデータベースＡ１６から取得する。
【００２３】
ガラス構成選択は、建築用途でよく使用される開口部状況を想定し、
Ａ：単板ガラスのみ 
Ｂ：単板ガラス＋カーテン 
Ｃ：複層ガラスのみ 
Ｄ：複層ガラス＋カーテン 
の４種類の中から選択できるようにした。この選択により、ガラス板（又はガラス板＋カーテン）の熱的性能を特徴づける熱貫流率と日射熱取得率を引数として割り当てる。
【００２４】
ガラス設置方位選択は、１６方位の中から選択できるようにした。実施の形態では、大型開口部を有する１室の建築用開口部の熱性能の違いによる熱的快適性に焦点を当てているので、1室の複数方位に窓があることを想定していない。 
【００２５】
検討日時選択は、各月、各日、時間を設定できるようにした。 
【００２６】
〔Ｓ３：ガラス熱的性能算出〕
ＪＩＳ  Ｒ３１０６、及びＪＩＳ  Ｒ３１０７に準拠してガラスの日射熱取得率及び熱貫流率を算出した。また、カーテンがある場合は、ＪＩＳ規格にその算出方法の記載がないので、板硝子協会の推奨のカーテンガラス間の熱伝達抵抗値を用い、ＪＩＳ規格に準拠した形で算出した。 
【００２７】
図４の表は、複層ガラス＋カーテン（品種の記号：Ｌｏｗ−Ｅ３＋Ａ１２＋ＦＬ３＋カーテン）の例である。この例では、室外側ガラス板は呼び厚さ３ミリのＬｏｗ−Ｅコーティング付きガラス、中空層１２ｍｍ、室内側ガラス板は呼び厚さ３ミリの通常のフロートガラスで構成される複層ガラスを用いている。
【００２８】
これによると、日射透過率２５．５０％、日射反射率３８．９０％、日射吸収率３５．６０％、日射熱取得率０．３３、熱貫流率１．６Ｗ／ｍ２Ｋである。
【００２９】
〔Ｓ４：気象データ選択〕
Ｓ２の地域選択、検討日時選択、ガラス設置方位選択で得られた情報を元に、アメダス気象データから対応する外気温、法線面直達日射量、天空日射量、水平面全天日射量を算出した。アメダス気象データはデータベースＢ１８から取得する。
【００３０】
〔Ｓ５：空調設定、隣室温度設定、人体快適性主要パラメータ設定〕
空調設定は、詳細な検討では、空調の吹き出し温度、風量を設定し、室内の空気温度分布を算出することになるが、計算ソフト１０では、建築用開口部の熱性能の違いによる熱的快適性に焦点を当てているので、詳細な空間温度分布は必要としない。つまり、空間温度分布計算は行わないので、空調設定では吹き出し温度ではなく、空調による部屋の平均設定温度を与えることとする。また、風量は空調機器メーカーのデフォルト値をベースに５００ｍ３／ｈと設定した。 
【００３１】
隣室参照温度は、各壁面の検討空間の隣室の平均温度として設定した。
【００３２】
デフォルト値は、開口部のみ外気温とし、その他天井以外は、夏は２６℃、冬は２２℃とし、天井の隣室参照温度のみ夏は２８℃、冬は２４℃とした。
【００３３】
人体快適性主要パラメータ設定は、ＰＭＶ指標の算出に必要な６つのパラメータ（代謝量、着衣量、室温、放射温度、平均気流速度、絶対湿度）のうち、代謝量、着衣量、平均気流速度、絶対湿度の４つについて、建築用途において標準的な値をあらかじめ設定した。代謝量は１．０[ｍｅｔ]、着衣量は夏期０．６[ｃｌｏ]、中間期０．８[ｃｌｏ]、冬期１．０[ｃｌｏ]、平均気流速度は０．２ｍ／ｓとした（室温、平均放射温度は計算値を用いる）。空調、隣室温度、人体快適性主要パラメータはデータベースＣ２０から取得する。
【００３４】
〔Ｓ６：窓面受熱日射量算出〕
窓面受熱日射量の算出には、あらかじめ設定した、図５の表の日射遮蔽物の形状と検討日時、ガラス設置方位にあわせた気象データの法線面直達日射量、天空日射量、水平面全天日射量から、特許文献１の日射解析方法に準じ、窓面に外から照射される日射量を算出した（しかしながら、計算ソフト１０では窓面到達日射量のみ算出することとし、室内まで到達する日射量分布計算は行わない）。 
【００３５】
算出結果を説明すると、〔東京：方位  南  ３月２１日１４時〕において、直達日射量１５６．７０〔Ｗ／ｍ２〕、天空日射量５８．１７〔Ｗ／ｍ２〕、照り返し量１３０．５２〔Ｗ／ｍ２〕であった。
【００３６】
〔Ｓ７：ガラス表面温度算出、室温算出〕
ガラス表面温度は、Ｓ６の窓面受熱日射量算出で求めたガラス面に照射される日射量と、Ｓ３のガラス熱的性能算出で求めたガラスの熱的性能値をベースに以下の熱収支計算の方程式を解くことで算出する。 
【００３７】
ここでは複層ガラス＋カーテンの例を示している。 
【００３８】
I・A1−αo（tg1−to）−αa（tg1−tg2）＝０ 
I・A2−αa（tg2−tg1）−αb（tg2−tb）＝０ 
I・Ab−αb（tb−tg2）−αi（tb−ti）＝０ 
I・η・Ag−Σ｛U・（ti−tref）・As｝−ρCp・Vair・（ti−tair）−
ρCp・Vo・（ti−to）＝０ 
ここで、 
I：Ｓ６で算出した窓面受熱日射量[Ｗ／ｍ２]、 
to：Ｓ４で選択した検討日時における外気温[℃] 
ti：開口部近傍の部屋空気温度（室温）[℃]（未知） 
t1、t2、tb：開口部の各部材表面温度（ガラス表面温度）[℃]（未知） 
ここでt1（外側ガラス）、t2（内側ガラス）、tb（カーテン） 
tair：空調による設定温度[℃]（Ｓ５の空調設定で定めたもの） 
tref：隣室設定温度[℃]（Ｓ５の隣室温度設定で定めたもの） 
A1、A2、Ab：ＪＩＳ  Ｒ３１０６準拠の日射熱取得率η算出の際に用いる 
各開口部材の総合熱吸収率[%] 
A1（外側ガラス）、A2（内側ガラス）、Ab（カーテン） 
αo、αi、αa、αb：JIS R 3106準拠の各表面の熱伝達率[Ｗ／ｍ２Ｋ] 
αo（室外）、αi（室内）、αa（複層ガラス中空層）、αb（ガラス−
カーテン間空気層） 
η、U：ＪＩＳ  Ｒ３１０６準拠の日射熱取得率[−]及びＪＩＳ  Ｒ３１０７準拠
の熱貫流率[Ｗ／ｍ２Ｋ] 
Vair：空調吹き出し風量[℃]（Ｓ５の空調設定で定めたもの） 
Vo：換気量[ｍ３／ｈ]（Ｓ１の検討空間サイズにおいて換気回数０．５回に相当する換気量）
Ag：開口部面積[ｍ２] 
As：各壁面面積[ｍ２] 
特許文献１においては、室内に到達する日射量分布と放射による壁表面温度分布ともに算出を行っている。しかしながら、本計算ソフト１０は建築用開口部の熱性能の違いによる熱的快適性に焦点を当てている。通常の建築物では庇、バルコニーといった日射遮蔽物が外部にあることが想定されるので、通常、室内に直達日射が照射される場合、窓近傍の床部分に照射される場合が殆どであるとみなせる。したがって、床面の日射吸収率のみ設定した。また、室内の放射による各壁面表面温度に関しても、詳細に検討を行うのであれば、放射計算が必要であるが、建築環境の検討で一般的に使用されている室内側の熱伝達係数でその影響を代用することとし、開口部の窓と床、天井のみ計算値とした。床と天井の表面温度に関しては、Ｓ８の床、天井表面温度算出に示す。 
【００３９】
〔Ｓ８：床、天井表面温度算出、平均放射温度算出〕 
床、天井表面温度算出は以下の熱収支計算の方程式を解くことで算出する。 
【００４０】
I・Te・CD・Af−αi（tf−ti）−Uf’（tf−tref）＝０ 
αi（tr−ti）−Ur’（tr−tref）＝０ 
ここで、 
I：Ｓ６で算出した窓面受熱日射量[Ｗ／ｍ２]、 
Te：Ｓ３のガラス熱的性能算出においてＪＩＳ  Ｒ３１０６に準拠して求められる日射熱取得率算出の際に計算されるガラス総合透過率[％] 
CD：旭硝子板ガラス建材総合カタログ記載（ＪＩＳ  Ｒ３１０６、Ｒ３１０７に準拠。空気調和計算法（発行者：オーム社、発行日：昭和６１年１２月２０日））のガラスの入射角度特性
Af：Ｓ１の壁熱性能設定で定めた床面日射吸収率[％] 
αi：ＪＩＳ  Ｒ３１０６準拠の室内熱伝達率[Ｗ／ｍ２Ｋ] 
tf、tr：各部材表面温度[℃] （未知） ここで、tf（床）、tr（天井）
ti：Ｓ７の室温算出で求めた室温[℃]、 
tref：Ｓ５の隣室温度設定で設定した隣室温度[℃] 
Uf’：Ｓ１の壁熱性能設定で定めた床の熱貫流率Ufに対し、室内側の成分を除去したもの[Ｗ／ｍ２Ｋ]。
【００４１】
以下の式で算出される。
【００４２】
Uf’＝１／｛（１／Uf）−（１／αi）｝
Ur’：Ｓ１の壁熱性能設定で定めた天井の熱貫流率Urに対し室内側の成分を除去したもの[Ｗ／ｍ２Ｋ]。
【００４３】
以下の式で算出される。 
【００４４】
Ur’＝１／｛（１／Ur）−（１／αi）｝ 
平均放射温度は、Ｓ７のガラス表面温度算出と、Ｓ８の床、天井表面温度算出で 求められた値と、Ｓ５の隣室温度設定で設定したその他部材表面温度と、Ｓ１の検討空間サイズで設定した、各部材面積を用いて、建築環境で用いられる一般的な平均放射温度の算出式を用いて算出した。〔東京：方位 南 ３月２１日１４時〕における、 計算結果例を図６の表に示す。
【００４５】
この計算結果によれば、外側ガラス温度１４．８[℃]、中空層温度１９．４[℃]、内側ガラス温度２４．１[℃]、空気層（内）温度２４．３[℃]、カーテン温度２４．６[℃]、室内温度２４．７[℃]、窓温度２４．６[℃]、仮壁１温度２４．７[℃]、仮壁２温度２４．７[℃]、仮壁３温度２４．７[℃]、床温度２９．３[℃]、天井温度２４．７[℃]、平均放射温度２７．７[℃]であった。
【００４６】
〔Ｓ９：人体快適性数値算出〕
Ｓ５の人体快適性主要パラメータ設定で設定した代謝量、着衣量、平均気流速度、絶対湿度と、Ｓ７の室温算出で計算した室温、及びＳ８の平均放射温度算出で計算した平均放射温度を用いて、既存の快適性指標ＰＭＶ値を算出した。ＰＭＶ値は−３〜＋３までの数値で寒い〜暑いの程度を数値で定量的に示すもので、−０．５〜＋０を熱的快適領域としている。ＰＭＶ値の算出にあたっては、ASHRAE STANDARD55-2004 Thermal Environmental Conditions for Human Occupancy記載のＰＭＶ算出プログラムを引用した。特許文献１においては、人体の部位ごとの検討をおこなう人体モデルを使用しているが、建築用途については、マクロな全身的な温冷感を捉えられれば十分であるので、特許文献１の手法は用いず、上記のＰＭＶ算出プログラムを引用した。 
【００４７】
図７の表に計算結果によれば、ＰＭＶ０．４５〔−〕、ＰＰＤ９．２〔％〕であった。
【００４８】
図７の計算結果例のように、ASHRAE STANDARD55-2004ではPMVの値以外にPPD（Predicted Percentage of Dissatisfied）も示している。 
【００４９】
〔Ｓ１０：選択条件変更〕
Ｓ２〜Ｓ９に関し、特にＳ２の検討日時選択とそれに伴う、Ｓ４の気象データ選択と、Ｓ５の空調設定、隣室温度設定、人体快適性主要パラメータ設定を変更して、改めて、Ｓ９の人体快適性数値算出まで計算することで、検討日時別の快適性数値を抽出できる。 
【００５０】
また、次のＳ１１の統計処理を踏まえ、場合によってはＳ２の地域選択、ガラス構成選択、ガラス設置方位選択も変更することで、地域別、ガラス構成別、ガラス設置方位別の比較検討が容易にできるという利点がある。 
【００５１】
〔Ｓ１１：統計処理〕
選択条件変更を数多く行うことで、日時別、ガラス構成別、地域別、方位別の結果を集めることができる。特に、ガラス構成別にその結果を集計することで、ガラス構成別の熱的快適性の数値が得られる。 
【００５２】
図８の表は、年間の代表日（２／１、３／２１、６／２１、８／１、９／２１、１２／２１）毎のＰＭＶの絶対値を、検討数で割った値を算出した（Ｓ１２）結果例であり、方位別、ガラス別に快適性の数値（指標）が異なることを示している。この結果例は、ディスプレイ２２に表示される。なお、この表の凡例において、ＦＬ３とは呼び厚さ３ミリの通常のフロートガラス（単板）を示し、Ａ６、Ａ１２とはそれぞれ厚さ６ｍｍ、１２ｍｍの中空層を示し、ＬＵ３とは呼び厚さ３ミリのＬｏｗ−Ｅコーティング付きガラスを示している。また、中空層を有する組み合わせのもの（例えば、ＦＬ３＋Ａ６＋ＦＬ３や、ＬＵ３＋Ａ１２＋ＦＬ３など）は複層ガラスを示している。
【００５３】
図８の結果例を得ることにより、Ｓ１で指定した検討空間サイズ、壁熱性能、Ｓ２で指定した地域、ガラス設置方位で特定される、その窓に応じた熱的に快適な単板ガラス（＋カーテン）、又は複層ガラス（＋カーテン）を選択することができ、推奨することができる。このように、ガラス構成の違いにより、その窓に応じた熱的快適性（人体快適性数値）が全体として相対的にどの程度異なるかを容易に比較できるので、顧客のニーズに応じて最適なガラス板を選択し、提案できる。
【００５４】
以上述べたフローチャートに従って各種数値を設定、及び算出することにより、実施の形態のガラスの熱的快適性評価方法によれば、窓ガラス近傍のＰＭＶ値を簡単に取得することができる。
【図面の簡単な説明】
【００５５】
【図１】実施の形態のガラス板の熱的快適性評価方法の一例を示したフローチャート
【図２】ガラスの熱的快適性指標を算出するための装置構成を示したブロック図
【図３】建物内部の幅、奥行き、高さの検討空間サイズ等を示した表
【図４】複層ガラス＋カーテンの透過率等を示した表
【図５】日射遮蔽物の形状と検討日時を示した表
【図６】東京：方位 南 ３月２１日１４時における温度の計算結果例を示した表
【図７】算出されたＰＭＶ値を表示した表
【図８】年間の代表日毎のＰＭＶの絶対値を検討数で割った値を算出した表
【符号の説明】
【００５６】
１０…熱的快適性指標の算出手順が格納された計算ソフト、１２…ＣＰＵ、１４…キーボード、１６…データベースＡ、１８…データベースＢ、２０…データベースＣ、２２…ディスプレイ
【図１】
2008107910.tif 000003
【図２】
2008107910.tif 000004
【図３】
2008107910.tif 000005
【図４】
2008107910.tif 000006
【図５】
2008107910.tif 000007
【図６】
2008107910.tif 000008
【図７】
2008107910.tif 000009
【図８】
2008107910.tif 000010